(57)【要約】【課題】後側に位置する表示装置における表示の視認性の低下を抑制して演出の興趣を向上し得る遊技機を提供する。【解決手段】遊技盤に配設した枠状装飾体の窓口から第１表示装置の第１表示部が前側に臨む。遊技盤に、第１表示部の前側を移動する第２表示装置が配設される。第２表示装置と移動機構５４とを連繋する連繋部材は透明に構成される。第２表示装置５１と中継基板７９とはフラットケーブル８４で接続される。フラットケーブル８４における第２表示装置５１と共に移動する際に第１表示部の前側に重なる重合部８４ａは、第２連繋部材によって幅方向を前後方向に向けた姿勢に保持される。【選択図】図１１
2015198749.tif 000002
【特許請求の範囲】
【請求項１】
第１表示部で図柄を変動表示する第１表示装置を備える遊技機において、
前記第１表示部と前後に重ならない外方に配設された移動機構と、
前記第１表示装置より前側に位置し、前記移動機構に透明な連繋部材を介して連繋されて該移動機構によって前記第１表示部の前側を移動するよう構成されると共に、第２表示部で表示演出を行う第２表示装置と、
前側から視認不能な位置に配設された基板と前記第２表示装置とを接続するフラットケーブルとを備え、
前記フラットケーブルは、前記第２表示装置と共に移動する際に前記第１表示部の前側に重なる重合部の幅方向を前後方向に向けた姿勢に保持される
ことを特徴とする遊技機。
【請求項２】
前記フラットケーブルは、前記重合部を挟んで前記第２表示装置との接続部とは反対側に、厚み方向を前後方向に向けた姿勢となるように折曲されて第２表示装置の移動方向に延在する可橈部を備え、第２表示装置の移動に伴って該可撓部が可撓するよう構成される請求項１記載の遊技機。
【請求項３】
前記フラットケーブルの重合部は、前記連繋部材に直線的に延在するように保持される請求項１または２記載の遊技機。
【請求項４】
遊技球が流下する遊技領域が画成された遊技盤に、前記第１表示装置の第１表示部を前側に臨ませる開口部が形成された枠状装飾体が配設され、
前記第２表示装置は、前記枠状装飾体の後側で該枠状装飾体における開口部の縁部側の第１位置と、該第１位置より開口部中央側の第２位置との間を移動するよう構成され、
前記第２表示装置の第２位置において前記連繋部材は、前記枠状装飾体における開口部の縁部に略沿って延在するよう構成される請求項３記載の遊技機。
【発明の詳細な説明】
【技術分野】
【０００１】
この発明は、複数の表示装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
前記パチンコ機では、遊技に関する画像を表示する複数の表示装置を前後の関係で配設し、両表示装置の夫々で表示演出を行うことで遊技の興趣を向上するようにしたものが知られている(例えば、特許文献１参照)。
【先行技術文献】
【特許文献】
【０００４】
【特許文献１】特開２０１３−２１２２８５号公報
【発明の概要】
【発明が解決しようとする課題】
【０００５】
前記特許文献１に記載のパチンコ機では、第１表示装置の前側を、第２表示装置が移動するよう構成されて、第１表示装置に対する第２表示装置の位置を変えることができるようになっている。このように２つの表示装置を前後の関係で配設する構成では、第１表示装置の前側で第２表示装置を移動させる場合に、該第２表示装置を移動する手段と該第２表示装置とを連繋する連繋部材や第２表示装置を制御する制御基板と該第２表示装置を接続する配線が、第１表示装置の前側に重なって見栄えが低下すると共に、該連繋部材や配線によって第１表示装置に表示される画像が見え難くなる問題を招き、興趣が低下する難点が指摘される。
【０００６】
すなわち本発明は、従来の技術に係る遊技機に内在する前記課題に鑑み、これを好適に解決するべく提案されたものであって、後側の表示装置の表示の視認性の低下を抑制して演出の興趣を向上し得る遊技機を提供することを目的とする。
【課題を解決するための手段】
【０００７】
前記課題を解決するために、本願の請求項１に記載の発明では、
第１表示部(17a)で図柄を変動表示する第１表示装置(17)を備える遊技機において、
前記第１表示部(17a)と前後に重ならない外方に配設された移動機構(54)と、
前記第１表示装置(17)より前側に位置し、前記移動機構(54)に透明な連繋部材(63)を介して連繋されて該移動機構(54)によって前記第１表示部(17a)の前側を移動するよう構成されると共に、第２表示部(51a)で表示演出を行う第２表示装置(51)と、
前側から視認不能な位置に配設された基板(79)と前記第２表示装置(51)とを接続するフラットケーブル(84)とを備え、
前記フラットケーブル(84)は、前記第２表示装置(51)と共に移動する際に前記第１表示部(17a)の前側に重なる重合部(84a)の幅方向を前後方向に向けた姿勢に保持されることを要旨とする。
【０００８】
請求項１に係る発明によれば、第２表示装置と移動機構とを連繋する連繋部材を透明に構成すると共に、第２表示装置と基板とを接続するフラットケーブルを、幅方向が前後を向く姿勢で保持するよう構成したので、連繋部材やフラットケーブルによって第１表示装置における第１表示部の視認性が低下するのを抑制することができる。すなわち、第１表示装置の前側で第２表示装置を移動しても第１表示部の視認性の低下を抑制することができ、複数の表示装置による演出の興趣を向上し得る。
【０００９】
請求項２に記載の発明では、前記フラットケーブル(84)は、前記重合部(84a)を挟んで前記第２表示装置(51)との接続部とは反対側に、厚み方向を前後方向に向けた姿勢となるように折曲されて第２表示装置(51)の移動方向に延在する可橈部(84c)を備え、第２表示装置(51)の移動に伴って該可撓部(84c)が可撓するよう構成されることを要旨とする。
請求項２に係る発明によれば、フラットケーブルによる第１表示部の視認性の低下を抑制しつつ、第２表示装置の移動をスムーズに行うことができる。
【００１０】
請求項３に記載の発明では、前記フラットケーブル(84)の重合部(84a)は、前記連繋部材(63)に直線的に延在するように保持されることを要旨とする。
請求項３に係る発明によれば、フラットケーブルを連繋部材で保持するようにしたので、フラットケーブルを保持する手段を別途設ける必要はなく構成を簡略化し得る。
【００１１】
請求項４に記載の発明では、遊技球が流下する遊技領域(21)が画成された遊技盤(M)に、前記第１表示装置(17)の第１表示部(17a)を前側に臨ませる開口部(27a)が形成された枠状装飾体(27)が配設され、
前記第２表示装置(51)は、前記枠状装飾体(27)の後側で該枠状装飾体(27)における開口部(27a)の縁部側の第１位置と、該第１位置より開口部中央側の第２位置との間を移動するよう構成され、
前記第２表示装置(51)の第２位置において前記連繋部材(63)は、前記枠状装飾体(27)における開口部(27a)の縁部に略沿って延在するよう構成されることを要旨とする。
請求項４に係る発明によれば、第２表示装置が枠状装飾体における開口部の中央側に移動した際には、フラットケーブルを保持する連繋部材が枠状装飾体における開口部の縁部に略沿って延在するよう構成したので、該フラットケーブルや連繋部材が目立つのを抑えて見栄えが低下するのを抑制し得る。
【発明の効果】
【００１２】
本発明に係る遊技機によれば、複数の表示装置による演出の興趣を向上することができる。
【図面の簡単な説明】
【００１３】
【図１】実施例に係るパチンコ機を示す正面図である。
【図２】実施例に係る遊技盤の正面図であって、可動部材および第２表示装置が第１位置に位置する状態を示す。
【図３】実施例に係る遊技盤の正面図であって、可動部材および第２表示装置が第２位置に位置する状態を示す。
【図４】実施例に係る遊技盤の正面図であって、可動部材が第１位置で第２表示装置が第２位置に位置する状態を示す。なお、第２位置より上方に移動した第２表示装置を二点鎖線で示している。
【図５】実施例に係る設置部材、可動演出装置および表示演出装置を分解した状態で前側から見た概略斜視図である。
【図６】実施例に係る遊技盤の縦断側面図であって、可動部材および第２表示装置が第１位置に位置する状態を示す。
【図７】実施例に係る表示演出装置の概略正面図であって、二点鎖線は第１位置の第２表示装置を示し、一点鎖線は第２位置の第２表示装置を示し、実線は第２位置より上方に移動した第２表示装置を示している。
【図８】実施例に係る表示演出装置について第２表示装置を第１位置に位置させた状態の第２支持部側での縦断側面図である。
【図９】実施例に係る表示演出装置における主要部品を分解して前側から見た概略斜視図である。
【図１０】実施例に係る表示演出装置における主要部品を分解して後側から見た概略斜視図である。
【図１１】実施例に係る表示演出装置の要部を示す概略斜視図であって、第２表示装置と中継基板とを接続するフラットケーブルの形態が分るように部品を一部省略した状態で示している。
【発明を実施するための形態】
【００１４】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１５】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤Ｍ(図２参照)を着脱可能に保持する本体枠としての中枠１２が開閉および着脱可能に組付けられると共に、遊技盤Ｍの後側に、図柄を変動表示可能な第１表示装置１７が着脱し得るよう配設されている。また、中枠１２の前面側には、遊技盤Ｍを透視可能に保護する透明部材１３ａを窓部に備えた装飾枠としての前枠１３が開閉可能に組付けられると共に、該前枠１３の下方にパチンコ球を貯留する下球受け皿１５が開閉可能に組付けられる。なお、実施例では、前枠１３の下部位置に、パチンコ球を貯留する上球受け皿１４が一体的に組付けられており、前枠１３の開閉に合わせて上球受け皿１４も一体的に開閉するよう構成される。
【００１６】
前記第１表示装置１７は、後述する始動入賞口２８ａ,２９ａへのパチンコ球の入賞を契機として演出用の図柄(飾図という場合もある)を第１表示部１７ａに変動表示させる図柄変動演出を行うよう構成される。また第１表示装置１７では、図柄変動に関連して実行される各種の表示演出を第１表示部１７ａに表示し得るようになっている。実施例では、前記第１表示装置１７として、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１７】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤Ｍに向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤Ｍに形成された第１球流下領域２１ａ(後述)をパチンコ球が流下する所謂「左打ち」と、該遊技盤Ｍに形成された第２球流下領域２１ｂ(後述)をパチンコ球が流下する所謂「右打ち」とを打ち分け得るようになっている。
【００１８】
(遊技盤Ｍについて)
本実施例では、所定板厚の略矩形状に形成されたアクリルやポリカーボネート等の合成樹脂材等からなる透明な平板状の板状部材２０と、該板状部材２０の裏側に着脱自在に取り付けられる設置部材１９とから遊技盤Ｍが構成されている(図６参照)。板状部材２０の表面(遊技盤Ｍの前面)には、図２〜図４に示す如く、略円形状に湾曲形成された案内レール２３が配設され、該案内レール２３によってパチンコ球が流下可能な遊技領域２１が画成されている。なお、前記第１表示装置１７は、設置部材１９の裏側に取り付けられて、後述するように該設置部材１９に設けた開口部１９ａおよび後述する枠状装飾体２７に設けた窓口２７ａを介して板状部材２０の前側に臨むよう構成される。なお、板状部材２０は、木材板の表面に各種絵柄等が描かれた合成樹脂シート等を貼付けて装飾したものであってもよい。
【００１９】
前記案内レール２３は、図２〜図４に示す如く、板状部材２０の左下部から右上部に至るよう左方向に膨出する円弧状に形成された外レール２４と、板状部材２０の右上部、右下部および左上部に至るよう右方向に膨出する円弧状に形成された内レール２５,２６とから構成されている。前記内レール２５,２６は、外レール２４の右上端部に連接して板状部材２０の右上部から下部に亘って配設され、左端縁が右方に凹む円弧状に形成された盤面飾り部材２５と、板状部材２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２３ａが画成される。ここで、前記内レールを構成するレール部材２６は、前記板状部材２０の左上部に開放端を臨ませて外レール２４との間に遊技領域２１に開口する打出し口２３ｂを画成するよう構成されて、前記打球発射装置から発射されたパチンコ球が発射通路２３ａの下方開口から飛翔して、レール部材２６の開放端側の打出し口２３ｂから遊技領域２１内に打ち出されるようになっている。
【００２０】
前記板状部材２０には、前後に貫通する装着口が前記遊技領域２１内に複数開設されて、各装着口に対して各種の遊技部品が前側から取り付けられると共に、遊技領域２１の最下部位置には、該遊技領域２１に打ち出されたパチンコ球を排出するアウト口２２が開設されている。なお、前記装着口の形成数は、板状部材２０に対して取り付けられる各種の遊技部品の個数や配設位置等により必要に応じて適宜決定される。
【００２１】
実施例の前記板状部材２０には、前記案内レール２３で囲まれた遊技領域２１の略中央の大部分が開口する第１装着口に、図２〜図４,図６に示す如く、前後に開口する窓口２７ａが形成された枠状装飾体２７が取り付けられ、該枠状装飾体２７の窓口２７ａを介して第１表示装置１７の第１表示部１７ａが板状部材２０(遊技盤Ｍ)の前側に臨むよう構成されている。また、板状部材２０における第１装着口(枠状装飾体２７)の下方に開設された第２装着口に、遊技領域２１(後述する第１球流下領域２１ａ,第２球流下領域２１ｂ)を流下するパチンコ球が入賞可能な第１始動入賞口２８ａを有する第１始動入賞装置２８が取り付けられている。更に、板状部材２０には、第２装着口(第１始動入賞装置２８)の左方から上方にかけて開設された第３装着口に、遊技領域２１(第１球流下領域２１ａ)を流下するパチンコ球が入賞可能な普通入賞口３０ａが設けられた第１サイド飾り３０が取り付けられると共に、該第２装着口(第１始動入賞装置２８)の右方から上方にかけて開設された第４装着口に第２サイド飾り３１が取り付けられている。実施例の第２サイド飾り３１には、遊技領域２１(第１球流下領域２１ａ,第２球流下領域２１ｂ)を流下するパチンコ球が入賞可能な特別入賞口３２ａを有する特別入賞装置(入賞装置)３２、遊技領域２１(第２球流下領域２１ａ)を流下するパチンコ球が入賞可能な第２始動入賞口２９ａを有する第２始動入賞装置２９、遊技領域２１(第２球流下領域２１ｂ)を流下するパチンコ球が通過可能な球通過ゲート３３および遊技領域２１(第２球流下領域２１ｂ)を流下するパチンコ球が入賞可能な普通入賞口３１ａ等が設けられている。
【００２２】
図２〜図４に示すように、前記板状部材２０には、前記遊技領域２１内に多数の遊技釘３４が設けられると共に、前記枠状装飾体２７の左側方に、遊技領域２１を流下するパチンコ球の接触に伴って回転する所謂「風車」とも称される回転案内部材３５が回転自在に配設されており、遊技釘３４や回転案内部材３５との接触によりパチンコ球の流下方向が不規則に変化するよう構成される。また、前記板状部材２０には、前記第１始動入賞装置２８の第１始動入賞口２８ａと前記回転案内部材３５との間に、該第１始動入賞口２８ａへ向けて下方傾斜する直線状に連続して前記遊技釘３４が設けられている。なお、以下の説明では、第１始動入賞口２８ａへ向けて下方傾斜する直線状に連続した遊技釘群を案内連釘３６と指称するものとする。また、前記案内連釘３６を構成する遊技釘３４は、適宜位置でパチンコ球が通過可能な隙間３６ａが空くよう設けられており、該案内連釘３６上を移動するパチンコ球が普通入賞口３０ａやアウト口２２側へ流下し得るようになっている。
【００２３】
(枠状装飾体２７について)
前記枠状装飾体２７は、図６に示す如く、前記第１装着口の内側に沿って延在する環状に形成された枠状基部３７と、該枠状基部３７に設けられて前記板状部材２０の前面より前方に突出し、前記遊技領域２１と第１表示装置１７の第１表示部１７ａを区切る庇状部３８と、該庇状部３８の後縁から外方に延出する薄板状の台板部３９とを備える。そして、前記枠状基部３７を第１装着口に挿入すると共に台板部３９を板状部材２０の前面に当接した状態で、該台板部３９をネジ等の固定手段で板状部材２０に固定することで、枠状装飾体２７が板状部材２０に取り付けられて、該枠状装飾体２７の外側、具体的には庇状部３８と案内レール２３との間にパチンコ球が流下する遊技領域２１(第１および第２球流下領域２１ａ,２１ｂ)が画成されるようになっている。なお、枠状装飾体２７を板状部材２０に取り付けた状態で、庇状部３８の後端縁から外方に延出する台板部３９が板状部材２０の前面に沿って延在して、該台板部３９の前側をパチンコ球が通り得るようになっている。また、枠状装飾体２７は、全体が透明な合成樹脂製とされており、透明な板状部材２０の前側に台板部３９を重ねた状態で、該台板部３９および板状部材２０を介して裏側を透視可能に構成されている。
【００２４】
前記枠状装飾体２７の庇状部３８は、枠状基部３７の全周に亘って連続して延在するよう設けられており、前記遊技領域２１から窓口２７ａ内にパチンコ球が飛び込むのを規制して、前記第１表示装置１７における第１表示部１７ａの前側をパチンコ球が移動しないように構成してある。また庇状部３８は、最上部位置から左右方向に下方傾斜するよう形成されて、遊技領域２１に打ち出されたパチンコ球が庇状部３８上で滞ることなく枠状装飾体２７の左側方または右側方へ誘導案内されるよう形成されている。すなわち、枠状装飾体２７の外側に画成される遊技領域２１は、図２〜図４に示す如く、該枠状装飾体２７の左側方をパチンコ球が流下する第１球流下領域２１ａおよび枠状装飾体２７の右側方をパチンコ球が流下する第２球流下領域２１ｂに分かれており、前記打球発射装置により遊技領域２１内に向けて発射されたパチンコ球は、到達位置に応じて枠状装飾体２７およびレール部材２６の間に形成される第１球流下領域２１ａか、或いは枠状装飾体２７および盤面飾り部材２５の間に形成される第２球流下領域２１ｂの何れかを流下するよう構成される。そして、実施例に係るパチンコ機１０では、前記第１球流下領域２１ａをパチンコ球が流下する場合(左打ちした場合)に、パチンコ球が第２球流下領域２１ｂを流下する場合に較べて第１始動入賞装置２８の第１始動入賞口２８ａにパチンコ球が入賞する可能性が高くなるよう構成されると共に、該第２球流下領域２１ｂをパチンコ球が流下する場合(右打ちの場合)に、パチンコ球が第１球流下領域２１ａを流下する場合に較べて特別入賞装置３２の特別入賞口３２ａや第２始動入賞装置２９の第２始動入賞口２９ａへパチンコ球が入賞する可能性が高くなるよう構成されている。
【００２５】
前記枠状装飾体２７には、パチンコ機１０のモチーフとなる意匠が施された装飾部品４０が、前記庇状部３８の内周上縁部から下方に向けて所定長さで延出するように設けられている。そして、本実施例では、装飾部品４０および庇状部３８によって、前記第１表示装置１７の第１表示部１７ａを前側に臨ませる窓口(開口部)２７ａが画成される。庇状部３８は、図２〜図４に示す如く、後述するステージ４２より右側に、前記盤面飾り部材２５との間に前記第２サイド飾り３１の配設領域を確保するための傾斜部３８ａが形成されている。この傾斜部３８ａは、上側に向かうにつれて盤面飾り部材２５に近接変位するように形成されており、該傾斜部３８ａの右斜め下側の第２球流下領域２１ｂに、第２サイド飾り３１に配設された球通過ゲート３３や普通入賞口３１ａが位置するよう構成される。なお、本実施例のパチンコ機１０では、図６に示す如く、枠状装飾体２７の窓口２７ａは、前後に離間する２枚の透明板４１によって全面的に塞がれているが、該透明板４１は省略することができる。
【００２６】
前記枠状装飾体２７には、図２〜図４,図６に示す如く、窓口２７ａの下縁部を画成する庇状部３８から外方(下方)に延出する台板部３９における第１装着口に臨む部位に、後方に凹むステージ４２が左右方向に所定長さで設けられており、該ステージ４２には前面開口から遊技領域２１を流下するパチンコ球が飛び込み得るよう構成される。また、枠状装飾体２７には、窓口２７ａの左側に、前記第１球流下領域２１ａ(遊技領域２１)に入口が開口する球案内部４３が庇状部３８に沿って所定長さで設けられており、第１球流下領域２１ａを流下するパチンコ球が入口から球案内部４３に通入し得るよう構成される。球案内部４３は、前記案内連釘３６の上端(上流端)の上方で出口が開口するよう構成されており、球案内部４３に入口から通入したパチンコ球を出口から案内連釘３６の上流端側の第１球流下領域２１ａに排出するよう構成される。そして、球案内部４３から案内連釘３６の上流端側に排出されたパチンコ球は、該案内連釘３６に接触して跳ね上がってステージ４２に飛び込み得るよう構成される。また、ステージ４２に飛び込んだパチンコ球は、ステージ４２上を左右に転動した後に、前記第１始動入賞装置２８が設けられている遊技領域２１に排出されるようになっている。なお、台板部３９に関し、前記ステージ４２が設けられ、庇状部３８の下縁部から下方に延出している部分については、他の部分と区別する場合には下側台板部３９ａと指称する場合がある。
【００２７】
(始動入賞装置２８,２９について)
前記第１始動入賞装置２８の第１始動入賞口２８ａは、遊技領域２１内で常に上方へ開口する常時開放タイプの入賞口とされ、該第１始動入賞口２８ａは、前記遊技領域２１を流下するパチンコ球が常時一定の確率で入賞可能に構成される。これに対して前記第２始動入賞装置２９の第２始動入賞口２９ａは、第２サイド飾り３１に配設された開閉部材２９ｂによって開閉するよう構成されており、駆動手段としての始動入賞ソレノイド(図示せず)の駆動に伴って開閉部材２９ｂが第２始動入賞口２９ａを閉鎖する閉鎖位置と開放する開放位置に変位するよう構成されている。すなわち、第２始動入賞口２９ａは、始動入賞ソレノイドを駆動することでパチンコ球の入賞確率を可変し得るよう構成される。
【００２８】
前記始動入賞装置２８,２９は、対応する始動入賞口２８ａ,２９ａに入賞したパチンコ球を検出する入賞検出手段としての始動入賞検出スイッチ(図せず)が設けられている。始動入賞検出スイッチは、パチンコ機１０の裏側に配設された図示しない制御手段に配線接続されており、該始動入賞検出スイッチによるパチンコ球の検出を契機として所定数の賞球が払い出されるようになっている。また、始動入賞検出スイッチによるパチンコ球の検出に伴って各種情報が取得され、この取得した情報に基づいて特図当り抽選(大当り判定)が行われるよう構成されている。そして、特図当り抽選の結果に基づいて前記第１表示装置１７の第１表示部１７ａにおいて図柄変動演出が実行され、該第１表示装置１７の第１表示部１７ａでの図柄変動演出の結果、該第１表示部１７ａに所定の組み合わせ(例えば同一飾図の３つ揃い等)で飾図が確定停止表示されることで、遊技者に有利な大当り遊技状態が付与され、大当り遊技状態の発生に伴って前記特別入賞装置３２を所定の開放条件で開放する大当り遊技(当り遊技)が行われて、遊技者が賞球を獲得し得る機会が与えられるよう構成されている。また実施例のパチンコ機１０は、大当り遊技の終了後に遊技者に有利な遊技状態として、特図当りの抽選確率が低確率から高確率に変動して大当り遊技状態が生起され易くなる確変状態や、前記第２始動入賞口２９ａへのパチンコ球の入賞契機が増加(非変短状態と較べて増加)する変短状態を付与する機能を備えている。確変状態および変短状態は、各始動入賞口２８ａ,２９ａへの入賞を契機として制御手段で実行される特図当り抽選で当選した大当りの種類(具体的には大当り図柄の種類)が、予め定めた確変図柄および変短図柄であることを条件として、大当り遊技の終了後に付与される。
【００２９】
(特別入賞装置３２について)
前記特別入賞装置３２の特別入賞口３２ａは、前記第２サイド飾り３１に配設された開閉体(開閉部材)３２ｂによって開閉されるよう構成される。開閉体３２ｂは、駆動手段としての特別入賞ソレノイド(図示せず)に連繋されて、該特別入賞ソレノイドを駆動することで、開閉体３２ｂが特別入賞口３２ａへのパチンコ球の入賞を阻止する閉位置と該特別入賞口３２ａへのパチンコ球の入賞を許容する開位置との間を移動するよう構成される。また特別入賞装置３２には、前記特別入賞口３２ａに入賞したパチンコ球を検出する特別入賞検出手段としての特別入賞検出スイッチ(図示せず)が配設されている。特別入賞検出スイッチは、前記制御手段に配線接続されており、特別入賞検出スイッチがパチンコ球を検出すると、検出信号を制御手段に出力し、制御手段の制御下に予め設定された数の賞球が払い出されるようになっている。なお、特別入賞装置３２は、開閉体３２ｂにより特別入賞口３２ａを常には閉鎖するよう構成され、大当り遊技に伴って特別入賞口３２ａを開放するよう構成されている。
【００３０】
(球通過ゲート３３について)
前記球通過ゲート３３には、該ゲート３３を通過するパチンコ球を検出する球通過検出スイッチ(図示せず)が設けられている。この球通過検出スイッチは、前記制御手段に配線接続されており、該球通過検出スイッチから制御手段への球検出信号の入力(すなわちパチンコ球の検出)に伴って普図当り抽選が行われ、該普図当り抽選の結果に応じて前記第２始動入賞装置２９の始動入賞ソレノイドが駆動制御されて開閉部材２９ｂが開閉動作するようになっている。なお、球通過検出スイッチの後端部は、前記板状部材２０の裏側に所定長さで突出し、該球通過検出スイッチにおける板状部材２０の裏側に臨む後端部に接続された配線を介して球通過検出スイッチが制御手段に接続されている。
【００３１】
(普通入賞口３０ａについて)
前記第１サイド飾り３０には、図２〜図４に示す如く、前記案内連釘３６の配設位置より上側に１つの普通入賞口３０ａが設けられると共に、該案内連釘３６の配設位置より下側に２つの普通入賞口３０ａが設けられている。そして、案内連釘３６の前記隙間３６ａから落下したパチンコ球が、３つの普通入賞口３０ａの内の下側の２つの普通入賞口３０ａに入賞可能に構成される。また、前記第２サイド飾り３１には、図２〜図４に示す如く、前記球通過ゲート３３の左斜め下側に１つの普通入賞口３１ａが設けられている。第１サイド飾り３０および第２サイド飾り３１に設けられた各普通入賞口３０ａ,３１ａに入賞したパチンコ球は、板状部材２０における対応する位置の裏側に設けた球通路(図示せず)を介して排出されるようになっている。
【００３２】
(設置部材１９について)
前記設置部材１９は、図５,図６に示す如く、前記板状部材２０の外郭形状より僅かに小さい形状に形成された略矩形状の背面板(設置部)４４と、該背面板４４の外周縁部から前方に突出する画壁部４５とから前方に開口した箱状に形成されて、該画壁部４５の開口前端部を板状部材２０の裏面に当接させた状態で、当該板状部材２０と設置部材１９とがネジ止め固定される。そして、前記設置部材１９において前記板状部材２０との間に画成される空間に、動作により演出を行う可動演出装置４７、表示演出装置５０および「右打ち」を報知する報知部４６等が設置されて、設置部材１９を基材とする１つのユニットとして扱い得るようになっている。前記設置部材１９の背面板４４には、前記枠状装飾体２７の窓口２７ａと前後に整列する位置に、略矩形状の開口部１９ａが前後に開口するよう開設される。そして、背面板４４の裏面に配設した前記第１表示装置１７の第１表示部１７ａが、前記開口部１９ａおよび窓口２７ａを介して板状部材２０(遊技盤Ｍ)の前側に臨むようになっている。なお、以下の説明では、設置部材１９の背面板４４について、開口部１９ａに対する上下左右の各部位を、上板部４４ａ,下板部４４ｂ,左板部４４ｃ,右板部４４ｄと指称して区別する場合もある。
【００３３】
(報知部４６について)
ここで、前述したように前記第２球流下領域２１ｂに第２始動入賞装置２９や特別入賞装置３２が配置された実施例のパチンコ機１０では、大当り遊技状態や変短状態等の特別遊技状態が付与された状態では、第２球流下領域２１ｂへパチンコ球を打ち出す「右打ち」を行うことで、第１球流下領域２１ａへパチンコ球を打ち出して遊技を行う場合と比べて遊技者により多くの特典が付与され得るようになっている。そこで、本実施例では、特別遊技状態に際して「右打ち」を報知可能な報知部４６を前記設置部材１９に設けてある。この報知部４６は、図２〜図４に示す如く、前記枠状装飾体２７における庇状部３８の下端縁より下側に位置するよう前記下板部４４ｂの前側に配設される。また報知部４６は、前記枠状装飾体２７における下側台板部３９ａの後側に対向して位置しており、透明な下側台板部３９ａおよび板状部材２０を透して報知部４６が前側から視認可能に構成される。
【００３４】
(可動演出装置４７について)
前記設置部材１９の背面板４４に、遊技盤Ｍに対して変位可能な可動部材４８,４９を備える可動演出装置４７が配設される。可動演出装置４７は、相互に近接・離間移動する一対の可動部材４８,４９を備え、実施例では一対の可動部材４８,４９が上下方向に相互に近接・離間移動するよう構成される。上側に位置する第１の可動部材４８は、移動機構によって前記枠状装飾体２７における窓口２７ａの上縁部側(開口部縁部側)の第１位置(図６)と、該第１位置より窓口中央側(開口部中央側)の第２位置(図３)との間を往復移動(動作)されるよう構成される。また、下側に位置する第２の可動部材４９は、移動機構によって前記枠状装飾体２７における窓口２７ａの下縁部側(開口部縁部側)の第１位置(図６)と、該第１位置より窓口中央側(開口部中央側)の第２位置(図３)との間を往復移動(動作)されるよう構成される。第２の可動部材４９の第１位置では、図６に示す如く、該第２の可動部材４９が前記報知部４６の前側に重なって該報知部４６を前側から覆い、第２の可動部材４９を第２位置に移動することで、第２の可動部材４９が報知部４６の前側から上方に離間して該報知部４６を前側から視認し得るように露出するよう構成される。また、第１および第２の可動部材４８,４９の左右方向の寸法は、前記枠状装飾体２７における窓口２７ａの左右方向の幅寸法より長く設定されると共に、窓口２７ａを左右方向に横切るように構成されており(図３参照)、該第１および第２の可動部材４８,４９が窓口２７ａの後側を上下方向に移動する際には前記第１表示装置１７の第１表示部１７ａを左右方向の全長に亘って覆い得るよう構成される。
【００３５】
(表示演出装置５０について)
前記設置部材１９の背面板４４に、表示演出を実行する第２表示装置５１を遊技盤Ｍに対して変位可能(移動自在)に備える表示演出装置５０が配設されている。この表示演出装置５０は、前記可動演出装置４７における可動部材４８,４９が移動する領域の前側(枠状装飾体２７の後側)を、前記第２表示装置５１が上下方向に移動するよう構成されている。また表示演出装置５０は、第２表示装置５１を、後述する移動機構５４によって前記枠状装飾体２７における窓口２７ａの下縁部側(開口部縁部側)の第１位置(図２,図６)と、該第１位置より窓口中央側(開口部中央側)の第２位置(図３,図４の実線位置,図７の一点鎖線位置)との間を往復移動するよう構成される。そして、第２表示装置５１が対応する第１位置に位置する状態で、図６に示す如く、該第２表示装置５１が前記報知部４６の前側に位置して該報知部４６を前側から覆い、該第２表示装置５１が対応する第２位置に位置する状態で、該第２表示装置５１が報知部４６の前側から上方に移動して該報知部４６を前側から視認し得るように露出するよう構成される。また第２表示装置５１は、第１位置から第２位置に移動することで、該第２表示装置５１が前記第１表示装置１７における第１表示部１７ａの前側に重なって該第１表示部１７ａを前側から視認可能な視認領域を変化(小さく)するよう構成されている。実施例では、前記第２の可動部材４９および第２表示装置５１の両方が対応する第１位置に位置する状態で報知部４６を隠し、第２の可動部材４９および第２表示装置５１の両方が対応する第２位置に位置する状態で報知部４６が前側から視認し得るようになっている。
【００３６】
前記第２表示装置５１は、図６に示す如く、カバー部材５２ａとベース部材５２ｂとを前後の関係で組付けることで構成される収容ケース５２に、各種画像を表示可能な液晶パネル５３を収容した液晶表示装置が採用され、収容ケース５２に収容された液晶パネル５３は、該収容ケース５２における前側に位置するカバー部材５２ａに形成した開口部から前側に臨むよう構成される。以後、液晶パネル５３におけるカバー部材５２ａの開口部から前側に臨む部位を第２表示部５１ａと指称する。そして第２表示装置５１では、第２表示部５１ａで各種演出を表示し得るよう構成される。
【００３７】
前記第２表示装置５１の外形寸法は、図３,図４,図６に示す如く、前記第１表示装置１７の第１表示部１７ａより小さく設定されており、第２表示装置５１が第２位置に移動した状態で、該第２表示装置５１によって第１表示部１７ａの全体が隠れることがないよう構成される。具体的に、第２表示装置５１の上下方向および左右方向の各寸法は、第１表示部１７ａの上下方向および左右方向の各寸法より小さく設定され、第２表示装置５１が第２位置に位置した状態で、該第２表示装置５１の上側および左右両側で第１表示部１７ａが露出するようになっている。また、第２表示装置５１の第２表示部５１ａは、第１位置および第２位置の何れの位置においても前側から視認可能に構成されており、該第２表示装置５１が第１位置および第２位置に移動した状態で第２表示部５１ａに表示される演出によって興趣を向上し得るようになっている。第２表示装置５１では、前記始動入賞口２８ａ,２９ａへのパチンコ球の入賞を契機として第１表示装置１７で実行される図柄変動演出と関連して、該図柄変動演出とは別の演出を表示し得る他、客寄せのためのデモンストレーション演出(デモ演出)を表示し得るよう構成される。図柄変動演出と関連した表出演出としては、例えば、特図当り抽選や普図当り抽選に当選する期待度等を示唆する予告演出や、該特図当り抽選や普図当り抽選の結果を報知する報知演出等が挙げられる。なお、第２表示装置５１は、第１表示装置１７と同様に、液晶表示装置に限られるものではなく、ドラム式の表示装置やドットマトリックス式の表示装置等の従来公知の各種の表示装置を採用し得る。
【００３８】
(移動機構５４について)
前記表示演出装置５０は、前記背面板４４の前側に配設されて、前記第２表示装置５１が移動自在に支持される支持基体５５を備える。この支持基体５５は、図７に示す如く、左右方向に離間する一対の支持部５６,５７を備え、左側の第１支持部５６が、前記左板部４４ｃの前側で上下方向に延在すると共に、右側の第２支持部５７が、前記右板部４４ｄの前側で上下方向に延在している。そして、各支持部５６,５７を対応する板部４４ｃ,４４ｄに夫々ネジ止め固定することで、支持基体５５が設置部材１９に位置決め固定される。
【００３９】
前記両支持部５６,５７間に、第２表示装置５１が移動自在に支持されている。そして、第２表示装置５１は、支持基体５５に配設された移動機構５４によって前記第１位置と第２位置との間を往復移動するよう構成される。実施例では、両支持部５６,５７に配設された一対の駆動機構５８,５９から移動機構５４が構成されており、一対の駆動機構５８,５９を同期して駆動することによって第２表示装置５１を往復移動するよう構成してある。支持基体５５に配設される駆動機構５８,５９(移動機構５４)は、前記枠状装飾体２７の窓口２７ａと前後に重ならない外方に位置している。すなわち、駆動機構５８,５９(移動機構５４)は、前記第１表示装置１７における窓口２７ａを介して前側に臨む第１表示部１７ａの前側に重ならない位置に配設されている。
【００４０】
前記第１支持部５６に、図７に示す如く、上下方向に延在する第１ガイド部５６ａが設けられ、該第１ガイド部５６ａに沿って上下方向に移動自在に第１移動体６０が第１支持部５６に支持されている。また、前記第２支持部５７に、第１ガイド部５６ａと平行で上下方向に延在する第２ガイド部５７ａが設けられ、該第２ガイド部５７ａに沿って上下方向に移動自在に第２移動体６１が第２支持部５７に支持されている。そして、前記収容ケース５２におけるベース部材５２ｂから左方に延出する透明な第１連繋部材６２の延出端が第１移動体６０に取り付けられると共に、該ベース部材５２ｂから右方に延出する透明な第２連繋部材６３の延出端が第２移動体６１に取り付けられている。すなわち、第２表示装置５１は、左右に離間する一対の移動体６０,６１間に透明な連繋部材６２,６３を介して架設された状態で、該移動体６０,６１と一体的にガイド部５６ａ,５７ａに沿って上下方向に移動自在に構成される。なお、第１ガイド部５６ａおよび第２ガイド部５７ａは、前記第１表示装置１７における第１表示部１７ａの前面に対して平行となる関係で上下方向に延在しており、第２表示装置５１は、第１表示装置１７の第１表示部１７ａに沿って上下方向に平行移動するよう構成される。また、第１移動体６０に、上下方向に延在するように第１ラック６０ａが設けられると共に、第２移動体６１に、上下方向に延在するように第２ラック６１ａが設けられている。
【００４１】
(駆動機構５８,５９について)
前記第１支持部５６に配設される第１駆動機構５８は、図７に示す如く、該第１支持部５６に配設される第１駆動モータ(駆動手段)６４と、該第１駆動モータ６４の回転を前記第１ラック６０ａを介して第１移動体６０に伝達するギヤ列等の第１伝達機構６５とを備える。前記第２支持部５７に配設される第２駆動機構５９は、図７に示す如く、該第２支持部５７に配設される第２駆動モータ(駆動手段)６６と、該第２駆動モータ６６の回転を前記第２ラック６１ａを介して第２移動体６１に伝達するギヤ列等の第２伝達機構６７とを備える。すなわち、前記連繋部材６２,６３を介して駆動機構５８,５９(移動機構５４)に連繋された前記第２表示装置５１は、第１および第２駆動モータ６４,６６を同期して回転駆動することで第１および第２伝達機構６５,６７によって伝達された駆動力によって上下方向に往復移動するよう構成される。なお、第１伝達機構６５は、第１ラック６０ａに噛合するギヤを除く他のギヤは第１支持部５６の裏側に配設されて前側に突出しないよう構成されると共に、第２支持部５７の前側に配設された第２伝達機構６７は、第２支持部５７の前側に配設された図示しない駆動機構カバーによって前側から覆われて保護されている。
【００４２】
前記第１移動体６０に第１検出片６０ｂ(図７,図９,図１０参照)が設けられると共に、前記第１支持部５６に、該第１検出片６０ｂを検出可能な第１位置検出センサ６８が配設されており、該第１位置検出センサ６８は、第２表示装置５１の第１位置において第１検出片６０ｂを検出し得るよう構成される。また、前記第２移動体６１に第２検出片６１ｂ(図７,図９,図１０)が設けられると共に、前記第２支持部５７に、該第２検出片６１ｂを検出可能な第２位置検出センサ６９が配設されており、該第２位置検出センサ６９は、第２表示装置５１の第１位置において第２検出片６１ｂを検出し得るよう構成される。両位置検出センサ６８,６９は前記制御手段に配線接続されており、該制御手段は、一対の位置検出センサ６８,６９からの検出信号の入力によって、第２表示装置５１が第１位置に位置していることを認識し得るよう構成されている。また、前記駆動モータ６４,６６としてステッピングモータが採用され、一対の駆動モータ６４,６６の駆動によって第１位置から移動を開始した第２表示装置５１を、移動パルス信号に基づいて第２位置で停止するように駆動モータ６４,６６を制御手段で駆動制御すると共に、第２位置から第１位置に向けて第２表示装置５１が移動した場合に、前記両位置検出センサ６８,６９が対応する検出片６０ｂ,６１ｂを検出した信号の入力に基づいて両駆動モータ６４,６６を制御手段が停止制御することで、第２表示装置５１を第１位置に停止保持し得るよう構成される。
【００４３】
前記第１支持部５６の上端部に設けた第１係合部５６ｂと第１移動体６０との間に、付勢手段としての第１引張りコイルバネ７０(図７参照)が張架されると共に、第２支持部５７の上端部に設けた第２係合部５７ｂと第２移動体６１との間に、付勢手段としての第２引張りコイルバネ７１(図７参照)が張架されており、第２表示装置５１は、常には一対の引張りコイルバネ７０,７１によって第２位置に向けて付勢されている。すなわち、第２表示装置５１を下方の第１位置から上方の第２位置に移動する際に第１および第２駆動モータ６４,６６に加わる負荷を引張りコイルバネ７０,７１の付勢力によって軽減し得るよう構成される。
【００４４】
ここで、実施例の表示演出装置５０は、第２表示装置５１を、前記第２位置より上方の上限位置(図４の二点鎖線位置,図７の実線位置)まで移動可能に構成されており、該上限位置において第２表示装置５１は磁石によって保持可能に構成されている。具体的には、前記第１連繋部材６２における第１移動体６０に対する取付部(後述する移動体取付部６２ｂ)に、板金等の磁着部材(図示せず)が配設されると共に、前記第１支持部５６に、第２表示装置５１が上限位置に到来した位置で磁着部材を磁力吸着する磁石(図示せず)が配設されている。また、前記第２連繋部材６３における第２移動体６１に対する取付部(後述する移動体取付部７２ｂ)に、板金等の磁着部材(図示せず)が配設されると共に、前記第２支持部５７に、第２表示装置５１が上限位置に到来した位置で磁着部材を磁力吸着する磁石(図示せず)が配設されている。すなわち、第２表示装置５１が上限位置まで移動すると、該第２表示装置５１は一対の磁着部材が磁石に磁力吸着された状態で保持される。
【００４５】
(第１連繋部材６２について)
前記第１連繋部材６２は、図９,図１０に示す如く、左右方向に延在する略平板状の部材であって、全体が透明に構成されて、該第１連繋部材６２を透して後側が視認可能に構成される。第１連繋部材６２には、右端部に表示取付部６２ａが設けられ、該表示取付部６２ａが前記収容ケース５２におけるベース部材５２ｂの裏面にネジ等の固定手段によって固定される。また、第１連繋部材６２には、左端部に移動体取付部６２ｂが設けられ、該移動体取付部６２ｂが前記第１移動体６０にネジ等の固定手段によって固定される。第１連繋部材６２は、表示取付部６２ａと移動体取付部６２ｂとの間に、前記第１表示部１ａと対向する凹凸のない平坦に形成された平坦部６２ｃを備え、前記第２表示装置５１が第１位置と第２位置との間を移動する際には該平坦部６２ｃが前記枠状装飾体２７における窓口２７ａに臨むよう構成される。すなわち、第２表示装置５１が第１位置と第２位置との間を移動する際に、第１連繋部材６２の移動体取付部６２ｂは枠状装飾体２７の窓口外方で前記板状部材２０の後側に重なると共に、表示取付部６２ａは第２表示装置５１の裏側に位置しており、第１連繋部材６２において窓口２７ａを介して前側から視認可能となるのは平坦部６２ｃのみとなるよう構成されている。また、第２表示装置５１が第１位置と第２位置との間を移動する際に前記第１表示装置１７における第１表示部１７ａの前側に重なる平坦部６２ｃは、該第１表示部１７ａと平行な関係で対向し、平坦部６２ｃを透して見える第１表示部１７ａの表示が歪むことがないよう構成される。また、第２表示装置５１の後側を該第２表示装置５１に対して相対的に移動する前記第１および第２の可動部材４８,４９における第１連繋部材６２の後側に重なる部位に施されている意匠の視認性が、該第１連繋部材６２によって低下するのを抑制し得る。
【００４６】
(第２連繋部材６３について)
前記第２連繋部材６３は、図９,図１０に示す如く、左右方向に延在する略平板状の第１部材７２と、該第１部材７２に着脱自在に配設される第２部材７３とから構成される。第１部材７２および第２部材７３は何れも透明に構成されており、第２連繋部材６３(第１部材７２,第２部材７３)を透して後側が視認可能に構成される。前記第１部材７２には、左端部に表示取付部７２ａが設けられ、該表示取付部７２ａが前記収容ケース５２におけるベース部材５２ｂの裏面にネジ等の固定手段によって固定される。また、第１部材７２には、右端部に移動体取付部７２ｂが設けられ、該移動体取付部７２ｂが前記第２移動体６１にネジ等の固定手段によって固定される。第１部材７２は、表示取付部７２ａと移動体取付部７２ｂとの間に、前記第１表示部１７ａに対向する凹凸のない平坦に形成された平坦部７２ｃを備え、前記第２表示装置５１が第１位置と第２位置との間を移動する際には該平坦部７２ｃが前記枠状装飾体２７における窓口２７ａに臨むよう構成される。すなわち、第２表示装置５１が第１位置と第２位置との間を移動する際に、第２連繋部材６３における第１部材７２の移動体取付部７２ｂは枠状装飾体２７の窓口外方で前記板状部材２０の後側に重なると共に、表示取付部７２ａは第２表示装置５１の裏側に位置しており、第１部材７２において窓口２７ａを介して前側から視認可能となるのは平坦部７２ｃのみとなるよう構成されている。また、第２表示装置５１が第１位置と第２位置との間を移動する際に前記第１表示装置１７における第１表示部１７ａの前側に重なる平坦部７２ｃは、該第１表示部１７ａと平行な関係で対向し、平坦部７２ｃを透して見える第１表示部１７ａの表示が歪むことがないよう構成される。また、第２表示装置５１の後側を該第２表示装置５１に対して相対的に移動する前記第１および第２の可動部材４８,４９における第２連繋部材６３の後側に重なる部位に施されている意匠の視認性が、該第２連繋部材６３によって低下するのを抑制し得る。
【００４７】
前記第１部材７２の平坦部７２ｃは、図７,図９,図１０に示す如く、表示取付部側から移動体取付部側に向かうにつれて、前記第２表示装置５１の移動方向に変位するよう斜めに形成されている。実施例の平坦部７２ｃは、表示取付部側から移動体取付部側に向かうにつれて上方傾斜するように形成されており、該平坦部７２ｃの下側には、第２表示装置５１の側方(右方)において上側に凹む凹空間Ｓが画成されるよう構成してある。この凹空間Ｓは、第２表示装置５１の第１位置において、前記板状部材２０の後方に突出する球通過ゲート３３の後端部や普通入賞口３１ａに入賞したパチンコ球を排出する球通路と平坦部７２ｃとが干渉するのを防ぐと共に、第２表示装置５１の第１位置を遊技盤Ｍの窓口２７ａより下側に設定するべく機能する。
【００４８】
前記第１部材７２の平坦部７２ｃには、図９に示す如く、左右方向に延在する一方の縁部に、前後方向に延在する第１保持部７４が、該縁部に沿って設けられている。実施例では、平坦部７２ｃにおける上側の縁部に沿って前側に延出するように第１保持部７４が設けられている。第１保持部７４は、上下方向の厚みが平坦部７２ｃの上下方向の幅より小さい薄板状に形成されると共に、該第１保持部７４の前端(延出端)には、後方に凹む凹部７４ａが左右方向に離間した複数箇所に形成されている。平坦部７２ｃには、表示取付部側の端部前面に、前側に延出すると共に前記第１保持部７４の左端に接続する表示側第１挟持部７５ａが、下方に所定長さで延在するように設けられている。また第１部材７２の移動体取付部７２ｂの前面に、前側に延出すると共に前記第１保持部７４の右端に接続する移動側第１挟持部７５ｂが略水平に延在するように設けられている。
【００４９】
前記第２部材７３は、図９および図１０に示す如く、前記第１部材７２の第１保持部７４に沿って延在する薄板状の第２保持部７６と、該第２保持部７６における表示取付部側の端部に接続して前記表示側第１挟持部７５ａに沿って延在する表示側第２挟持部７７ａと、該第２保持部７６における移動体取付部側の端部に接続して前記移動側第１挟持部７５ｂに沿って延在する移動側第２挟持部７７ｂとを備える。そして、第２部材７３は、第２保持部７６および第２挟持部７７ａ,７７ｂを、第１部材７２の対応する第１保持部７４および第１挟持部７５ａ,７５ｂに夫々前記第１表示部１７ａの前面に沿う方向で対向する状態で該第１部材７２に着脱自在に取り付けられる。具体的には、第２保持部７６が第１保持部７４の下面側に対向し、表示側第２挟持部７７ａが表示側第１挟持部７５ａの右側面に対向し、移動側第２挟持部７７ｂが移動側第１挟持部７５ｂの下面側に対向している。そして、第２表示装置５１と中継基板７９(後述)を接続するフラットケーブル８４が、第１保持部７４と第２保持部７６とで挟持されて幅方向を前後に向けた姿勢で保持されるよう構成してある。また、第２連繋部材６３におけるフラットケーブル８４を保持する第１保持部７４および第２保持部７６は、図３,図４に示す如く、前記第２表示装置５１の第２位置において、前記枠状装飾体２７の窓口２７ａにおける庇状部３８の傾斜部３８ａで画成される縁部に略沿って延在するようになっている。
【００５０】
前記第２保持部７６の前端における前記第１保持部７４に設けた各凹部７４ａに対応する位置に、第１保持部側に向けて突出する凸部７６ａが設けられており、第１部材７２に対して第２部材７３は、各凸部７６ａが対応する凹部７４ａに嵌合して位置決めされた状態で取り付けられる。また、第１保持部７４と第２保持部７６とで挟持されるフラットケーブル８４は、第１部材７２の平坦部７２ｃおよび凸部７６ａによって前後方向の移動が規制されるようになっている。前記第２部材７３には、表示側第２挟持部７７ａの前端に、表示側第１挟持部側に延出する規制壁７８が設けられると共に、該規制壁７８の延出端には後側(第１部材７２の平坦部７２ｃ)に向けて表示側第２挟持部７７ａと平行に延在する挟持片７８ａが設けられている(図１０参照)。表示側第２挟持部７７ａと挟持片７８ａとは、表示側第１挟持部７５ａの厚みより僅かに大きく離間しており、第１部材７２に対して第２部材７３は、前記フラットケーブル８４の後述する第１折返し部８４ｂを介して表示側第１挟持部７５ａが表示側第２挟持部７７ａと挟持片７８ａとの間に差し込まれた状態で取り付けられる。
【００５１】
(中継基板７９について)
前記第２支持部５７には、前記第２移動体６１の移動範囲外の位置(実施例では上端部)に、前記制御手段に配線接続される中継基板(基板)７９が取着部材８０を介して取り付けられている。中継基板７９の前面には、図９,図１１に示す如く、前記フラットケーブル８４の一端が接続されるコネクタ７９ａが差込口を下向きに開口した状態で配設されており、該コネクタ７９ａに一端が差込み接続されたフラットケーブル８４は、第２移動体６１の前側を下方に延在するように引き回される。また、取着部材８０には、前記コネクタ７９ａの配設位置に対応して中継基板７９より下方に延出する規制部８１が設けられており、コネクタ７９ａから下方に延在するフラットケーブル８４を規制部８１によって位置規制するよう構成される。この規制部８１は、フラットケーブル８４の幅寸法より横幅が広く設定された平板状の後部規制壁８１ａと、該後部規制壁８１ａの左右の端縁から前側に延出する側部規制壁８１ｂ,８１ｂとを備え、後述する第２被覆部材８３を規制部８１の前側に配置した状態で、第２被覆部材８３と規制部８１との間に、下方に開口する通路が形成されるよう構成される(図８参照)。すなわち、該通路に挿通されたフラットケーブル８４は、第２被覆部材８３および後部規制壁８１ａによって前後方向の変位が規制されると共に、一対の側部規制壁８１ｂ,８１ｂによって左右方向の変位が規制されるようになっている。
【００５２】
前記中継基板７９は、前記枠状装飾体２７に配設された前記装飾部材４０や盤面飾り部材２５等の不透明な部材の裏側に位置して、該中継基板７９は前側から視認不能になっている。また、取着部材８０に配設された中継基板７９は、第２被覆部材８３で前側から覆われている。
【００５３】
(被覆部材８２,８３について)
前記第１支持部５６には、前記第１ガイド部５６ａに沿って移動する第１連繋部材６２における移動体取付部６２ｂの前側を覆う第１被覆部材８２が、該第１支持部５６に沿って上下方向に延在するようにして着脱自在に取り付けられている(図５参照)。この第１被覆部材８２と第１支持部５６との間は、第２表示装置側に開口するよう構成されており、前記第１移動体６０に取り付けられた第１連繋部材６２が第１被覆部材８２と干渉することなく上下方向に移動可能になっている。なお、第１被覆部材８２は、前記板状部材２０の後側に対向するように位置すると共に、図示しない発光基板を備え、該発光基板に配設したＬＥＤ等の発光体を発光することで板状部材２０を裏側から照明し得るよう構成される。
【００５４】
前記第２支持部５７には、前記駆動機構カバーおよび取着部材８０の前側に、第２支持部５７に沿って上下方向に延在する第２被覆部材８３が着脱自在に取り付けられている(図５参照)。この第２被覆部材８３は、平板状の本体部８３ａを備え、該本体部８３ａと第２支持部５７との間は、第２表示装置側に開口するよう構成されており、前記第２移動体６１に取り付けられた第２連繋部材６３が第２被覆部材８３の本体部８３ａと干渉することなく上下方向に移動可能になっている。本体部８３ａの裏面には、図１０に示す如く上下方向に延在する一対のガイド突条８３ｂ,８３ｂが左右方向に離間して平行に突設されている。そして、前記中継基板７９に一端が接続されたフラットケーブル８４は、本体部８３ａ(第２被覆部材８３)の裏側において一対のガイド突条８３ｂ,８３ｂの間を上下方向に延在するように引き回されており、該本体部８３ａおよび一対のガイド突条８３ｂ,８３ｂによってフラットケーブル８４の前方および左右方向への変位を規制するよう構成してある。また、第２被覆部材８３には、本体部８３ａの裏側に、該本体部８３ａの裏面との間にフラットケーブル８４を保持する保持片８３ｃが上下方向に離間して複数設けられている。なお、保持片８３ｃは、本体部８３ａの裏面との間にフラットケーブル８４を保持可能な隙間をあけて、左右何れか一方のガイド突条８３ｂから他方のガイド突条８３ｂに向けて本体部８３ａの裏面と平行に延在するように設けられる。そして、保持片８３ｃと本体部裏面との間には、該保持片８３ｃの自由端側からフラットケーブル８４が差し込み得るようになっている。また、複数の保持片８３ｃは、自由端が上下方向で交互に位置するよう設定してある。
【００５５】
前記第２被覆部材８３の本体部８３ａには、前記取着部材８０の規制部８１における後部規制壁８１ａと対向する位置に、該後部規制壁８１ａとの間でフラットケーブル８４を挟持する挟持突部８３ｄが突設されている。すなわち、図８に示す如く、フラットケーブル８４における前記中継基板７９のコネクタ７９ａとの接続部近傍を後部規制壁８１ａと挟持突部８３ｄとで挟持することで、該フラットケーブル８４のコネクタ７９ａからの抜け止めを図るよう構成される。
【００５６】
(フラットケーブル８４について)
前記中継基板７９に一端が接続されると共に他端が前記第２表示装置５１に接続されるフラットケーブル８４は、平板型の導体をシート状の絶縁体で被覆した可橈性を有するリボン状の配線材(フレキシブルフラットケーブル)であって、幅に対して厚みが極めて小さく設定されている。このフラットケーブル８４は、第２表示装置５１に接続する他端部側は、厚み方向が前後方向を向く姿勢で前記第１部材７２の表示側第１挟持部７５ａの左側面、前面および右側面に沿うように折曲されている。また、フラットケーブル８４における表示側第１挟持部７５ａの右側面に臨む部分で、図１１に示す如く、該ケーブル８４が幅方向を前後方向に向けた姿勢となるように折り返され、その姿勢のままフラットケーブル８４は前記第１保持部７４の下面(第２保持部７６との対向面)に沿って直線的に延在するように引き回されている。そして、フラットケーブル８４における表示側第１挟持部７５ａの外面に沿って引き回される部分は、第２部材７３の表示側第２挟持部７７ａと挟持片７８ａとの間に表示側第１挟持部７５ａが差し込まれた状態で位置決め保持されるよう構成される。また、フラットケーブル８４における第１保持部７４に沿って引き回される部分は、図７に示す如く、該第１保持部７４と第２部材７３の第２保持部７６とで挟持されて、幅方向を前後方向に向けた姿勢で直線的に延在するように保持されている。ここで、フラットケーブル８４における第１保持部７４と第２保持部７６とで挟持される部分は、前記第２表示装置５１と共にフラットケーブル８４が移動する際に前記第１表示部１７ａの前側に重なる部分であり、当該部分については重合部８４ａと指称するものとする。また、フラットケーブル８４において厚み方向が前後方向を向く姿勢から幅方向を前後方向に向けた姿勢に折り返されて表示側第１挟持部７５ａおよび表示側第２挟持部７７ａで挟持される部分について、以後第１折返し部８４ｂと指称する。
【００５７】
前記フラットケーブル８４は、前記重合部８４ａの右端部(重合部８４ａを挟んで第２表示装置５１との接続部とは反対側)から前記移動側第１挟持部７５ｂの下面に沿って引き回される部分において厚み方向を前後方向に向けた姿勢となるように折り返され、該折り返し部分が移動側第１挟持部７５ｂおよび移動側第２挟持部７７ｂで挟持されて、該フラットケーブル８４は折り返された姿勢が保持されるよう構成される。そして、フラットケーブル８４における移動側第１挟持部７５ｂおよび移動側第２挟持部７７ｂで挟持された部分から前記中継基板７９に接続される他端までの可橈部８４ｃは、図１１に示す如く、厚み方向を前後方向に向けた姿勢で第２表示装置５１の移動方向に延在するように引き回されている。なお、フラットケーブル８４において幅方向を前後方向に向けた姿勢から厚み方向が前後方向を向く姿勢に折り返されて移動側第１挟持部７５ｂおよび移動側第２挟持部７７ｂで挟持される部分について、以後第２折返し部８４ｄと指称する。
【００５８】
実施例のフラットケーブル８４における前記可橈部８４ｃは、図１１に示す如く、前記第２折返し部８４ｄから第２表示装置５１の移動方向に沿って下方に延在する部分がＵ字状となるように湾曲された後に第２表示装置５１の移動方向に沿って上方に引き回されて、該フラットケーブル８４の一端が中継基板７９にコネクタ接続される。そして、フラットケーブル８４は、第２表示装置５１の移動に伴って可撓部８４ｃが可撓することで、該第２表示装置５１のスムーズな移動を許容するよう構成される。また、可橈部８４ｃは、第２折返し部８４ｄから下方に引き回される部分の前側に上方に引き回される部分が重なるように湾曲されており、前側に位置する部分が、前記第２被覆部材８３の裏面に保持片８３ｃを介して保持されるよう構成されている(図８参照)。なお、実施例では、可橈部８４ｃにおける最も下側に位置する保持片８３ｃに保持される部位から第２折返し部８４ｄまでの部分が、第２表示装置５１の移動に際して可橈し、その他の部分については第２被覆部材８３や規制部８１によって移動が規制されている。
【００５９】
ここで、前記可動演出装置４７の両可動部材４８,４９が第２位置に移動すると共に、第２表示装置５１が第２位置に移動して前記報知部４６を露出した状態(図３の状態)では、第２の可動部材４９における前記第１表示部１７ａの前側に重なっている部位の前側に前記連繋部材６２,６３が重なるよう構成される。すなわち、前記第２連繋部材６３における保持部７４,７６および該保持部７４,７６で保持されているフラットケーブル８４の重合部８４ａが第２の可動部材４９の前側に重なるようになっている。
【００６０】
(実施例の作用)
次に、前述のように構成された実施例に係るパチンコ機１０の作用につき説明する。
【００６１】
前記前枠１３の前面側に設けられた前記操作ハンドル１６の操作レバー１６ａを遊技者が回転操作すると、前記打球発射装置から発射されたパチンコ球が前記板状部材２０に設けた案内レール２３により画成された発射通路２３ａを通って打出し口２３ｂから遊技領域２１内に打ち出される。このとき、前記操作レバー１６ａの回動量に応じてパチンコ球の打ち出し位置が変化し、打ち出し位置に応じて遊技領域２１の第１球流下領域２１ａまたは第２球流下領域２１ｂをパチンコ球が流下する。
【００６２】
前記第１球流下領域２１ａを流下する「左打ち」となるようパチンコ球が打ち出され、該第１球流下領域２１ａを流下するパチンコ球が前記球案内部４３の入口に通入すると、該パチンコ球は球案内部４３によって前記枠状装飾体２７の外縁(庇状部３８)に沿って下流側に案内されて出口から前記案内連釘３６の上流端側の第１球流下領域２１ａに排出される。このパチンコ球は、案内連釘３６上を前記第１始動入賞口２８ａに向けて流下し、該第１始動入賞口２８ａに入賞可能となる。また、案内連釘３６の前記隙間３６ａから落下したパチンコ球は、前記普通入賞口３０ａに入賞可能となる。更に、球案内部４３から案内連釘３６上に排出されるパチンコ球の勢いの違いによって、該パチンコ球が案内連釘３６上で跳ねて前記ステージ４２に飛び込むこともあり、該パチンコ球はステージ４２で左右方向に転動した後に遊技領域２１に排出され、このパチンコ球は第１始動入賞口２８ａに入賞可能となる。なお、第１始動入賞口２８ａや普通入賞口３０ａに入賞することなく遊技領域２１の最下部に至ったパチンコ球は、前記アウト口２２から機裏側に排出される。
【００６３】
前記第１始動入賞装置２８の第１始動入賞口２８ａにパチンコ球が入賞すると、前記制御手段によって特図当り抽選(大当り判定)が行われる。そして、前記第１表示装置１７の第１表示部１７ａでは、第１始動入賞口２８ａにパチンコ球が入賞した時点で取得された各種情報に基づく図柄変動演出が実行される。また、第２表示装置５１の第２表示部５１ａにおいても、図柄変動に伴う演出が実行される。すなわち、図柄変動演出に際して２つの表示装置１７,５１によって表示演出が行われることで、遊技の興趣を向上することができる。
【００６４】
前記第１表示装置１７での図柄変動演出の結果、第１表示部１７ａに所定の図柄組み合わせが表示されると大当り遊技状態が発生する。大当り遊技状態が発生すると、第１表示部１７ａに表示された図柄組み合わせに応じて、図柄変動演出の終了後に前記板状部材２０に設けられた特別入賞装置３２の特別入賞口３２ａを開閉する開閉体３２ｂが所定条件で開放制御される大当り遊技が実行されると共に、第１表示装置１７の第１表示部１７ａにおいて大当り演出が行われる。また、前記第２表示装置５１の第２表示部５１ａにおいて、第１表示部１７ａで展開される大当り演出とは異なる演出が表示され、遊技の興趣が高められる。
【００６５】
前記大当り遊技状態に移行すると、前記制御手段は、前記可動演出装置４７および表示演出装置５０を制御して、可動部材４８,４９および第２表示装置５１を第１位置から第２位置に移動する。これにより、図３に示す如く、前記報知部４６が前側から視認可能な状態に露出し、該報知部４６によって「右打ち」が報知される。従って、遊技者は前記第２球流下領域２１ｂにパチンコ球を打ち出す「右打ち」を行う状態であることを認識でき、該「右打ち」を行うことで大当り遊技により得られる利益を享受し得る。また、可動部材４８,４９および第２表示装置５１が第２位置に移動することによって第１表示装置１７における第１表示部１７ａの一部が隠れるが、第２表示装置５１の第２表示部５１ａで表示される演出によって遊技の興趣が低下するのを防止することができる。また、第２表示装置５１の後側に位置する前記第２の可動部材４９における第１連繋部材６２および第２連携部材６３の後側に重なる部位に施されている意匠の視認性が、該連繋部材６２,６３によって低下することはない。また、第２の可動部材４９の前側に重なる第２連繋部材６３(保持部７４,７６)に保持されているフラットケーブル８４の重合部８４ａは、幅方向を前後方向に向けた姿勢に保持されているので、該重合部８４ａによって第２の可動部材４９の意匠の視認性が低下することもない。すなわち、第２表示装置５１と第２の可動部材４９とを前後の関係で配設しても、該第２表示装置５１を移動機構５４に連繋する連繋部材６２,６３を透かして第２の可動部材４９の意匠を遊技者に視認させることができ、興趣を向上し得る。
【００６６】
前記大当り遊技が終了すると、前記制御手段は、可動演出装置４７および表示演出装置５０を制御して、可動部材４８,４９および第２表示装置５１を第２位置から第１位置に移動する(図２,図６の状態)。これにより、前記報知部４６は第２の可動部材４９および第２表示装置５１で前側が覆われて、遊技者から見えなくなり、遊技者は大当り遊技が終了したことを認識し得る。
【００６７】
また、実施例のパチンコ機１０では、大当り遊技の終了後に確変状態や変短状態が付与される場合は、大当り遊技状態に移行する場合と同様に、可動部材４８,４９および第２表示装置５１が第１置から第２位置に移動され、前側に露出した報知部４６で「右打ち」が報知される。そして、確変状態や変短状態が終了すると、制御手段によって可動演出装置４７および表示演出装置５０が可動部材４８,４９および第２表示装置５１を第２位置から第１位置に移動するように制御される。
【００６８】
実施例のパチンコ機１０では、図柄変動演出に際して、図４に示す如く、前記可動部材４８,４９を第１位置に保持したもとで、前記第２表示装置５１のみを第１位置から第２位置に移動する動作による演出を行うと共に、該第２表示装置５１の第２表示部５１ａで報知演出や予告演出を行うことで、図柄変動演出時における興趣を向上することができる。また、前記第２表示装置５１が第１表示部１７ａの前側で移動する際に該第１表示部１７ａの前側に重なる前記連繋部材６２,６３は透明に構成してあるので、該連繋部材６２,６３によって第１表示部１７ａの表示(演出)の視認性が低下することはなく、第１表示部１７ａでの表示(演出)によって興趣を高めることができる。また、第２連繋部材６３に保持されて第１表示部１７ａの前側を引き回されているフラットケーブル８４は、第１表示部１７ａの前側に重なる重合部８４ａを幅方向が前後方向に向けた姿勢で第２連繋部材６３により保持しているので、該フラットケーブル８４によって第１表示部１７ａの視認性が低下するのを抑制し得る。すなわち、フラットケーブル８４は極めて薄いので、幅方向が前後方向に向く姿勢では該フラットケーブル８４が前後方向において第１表示部１７ａと重なる領域は小さく、該フラットケーブル８４によって第１表示部１７ａの視認性が妨げられるのを抑えることができる。従って、第１表示部１７ａの視認性の低下を抑制したもとで、第２表示装置５１が第１表示部１７ａの前側を移動する範囲の自由度が高くなり、第２表示装置５１での動作演出の幅を広げて興趣を向上し得る。これにより、図４に二点鎖線で示すように、第２位置から更に上方の上限位置まで第２表示装置５１を移動し、第１表示部１７ａの略中央部において第２表示装置５１で表示演出を行う場合に、該第２表示装置５１の外周囲で前側から視認可能となっている第１表示部１７ａでの表示の視認性が連繋部材６２,６３およびフラットケーブル８４で低下することはなく、インパクトのある表示演出によって興趣を向上することが可能となる。
【００６９】
前記フラットケーブル８４を、第２表示装置５１を移動機構５４に連繋するための第２連繋部材６３で保持するようにしたので、該フラットケーブル８４を保持する手段を別途設ける必要はなく、構成を簡略化し得る。また、フラットケーブル８４の重合部８４ａを保持する保持部７４,７６を薄板状としたので、該保持部７４,７６が目立つことを抑制し、保持部７４,７６によって第１表示部１７ａの視認性の低下は抑制される。また、重合部８４ａは、保持部７４,７６によって全体が挟持されて直線的に延在するように保持されているので、前記第２表示装置５１の移動時に重合部８４ａが変位したり変形することはなく、直線的に延在する重合部８４ａの存在を遊技者に認識させ難くすることができる。すなわち、フラットケーブル８４の存在を意識させることなく、第１表示部１７ａで行われる表示(演出)を遊技者に楽しませることができ、興趣を向上し得る。
【００７０】
前記第２表示装置５１が第１位置から第２位置に移動した状態で、図３,図４に示す如く、前記第２連繋部材６３におけるフラットケーブル８４の重合部８４ａを保持する保持部７４,７６は、枠状装飾体２７における窓口２７ａの縁部に略沿って延在するよう構成したので、保持部７４,７６およびフラットケーブル８４の存在が目立つのを抑えて見栄えが低下するのを抑制し得る。また、実施例では、窓口２７ａにおける前記庇状部３８の傾斜部３８ａでの縁部に略沿うように延在させた第２連繋部材６３の保持部７４,７６から下方に延出する平坦部７２ｃも上向きに傾斜するように形成されて、その下側に前記凹空間Ｓを画成している。従って、第２位置から第１位置に向けて移動する第２表示装置５１を、前記平坦部７２ｃが前記板状部材２０の裏側に突出する球通過ゲート３３の後端部や球通路と干渉することなく第２連繋部材６３の保持部７４,７６を板状部材２０の裏側に重なる位置まで移動することができる。すなわち、板状部材２０において第２球流下領域２１ｂに対応する裏側に突出する部品と第２連繋部材６３とを干渉させることなく、該第２連繋部材６３の全体を枠状装飾体２７の窓口２７ａから前側に臨まない第１位置まで移動することができ、該第１位置において窓口２７ａを介して第２連繋部材６３やフラットケーブル８４が視認されるのを防ぐことができる。
【００７１】
前記フラットケーブル８４における重合部８４ａと前記中継基板７９との間に位置する可橈部８４ｃは、図１１に示す如く、厚み方向を前後方向に向けた姿勢で前記第２表示装置５１の移動方向に延在するように引き回しているので、該第２表示装置５１が移動する際には可橈部８４ｃが容易に可橈する。従って、フラットケーブル８４による第１表示部１７ａの視認性の低下を抑制しつつ、第２表示装置５１の移動をスムーズに行うことができる。また、可橈部８４ｃは厚み方向を前後方向に向けた姿勢としてあるので、図８に示す如く、該可橈部８４ｃを引き回すために必要となる前後寸法を小さく抑えることができ、遊技盤Ｍの前後寸法の抑制に寄与し得る。
【００７２】
前記フラットケーブル８４における中継基板７９のコネクタ７９ａとの接続部近傍は、図８に示す如く、前記後部規制壁８１ａと挟持突部８３ｄとで挟持されているので、第２表示装置５１の移動に際してフラットケーブル８４がコネクタ７９ａから抜けるのを防止することができる。また、可橈部８４ｃは、第２被覆部材８３(具体的にはガイド突条８３ｂ,８３ｂ)によって左右方向への変位が規制されているので、第２表示装置５１の移動に際して可橈部８４ｃが第２表示装置側に移動するのは防止される。すなわち、可橈部８４ｃが第１表示部１７ａの前側に重なるように延出してしまうのを防いで、該可橈部８４ｃによって第１表示部１７ａの視認性が低下するのを防止し得る。
【００７３】
(変更例)
本願は前述した実施例の構成に限定されるものではなく、その他の構成を適宜に採用することができる。
(1) 実施例では、第２表示装置が上下方向に移動するよう構成したが、該第２表示装置の移動方向は左右方向あるいは斜め方向であってもよい。
(2) 実施例では、第２表示装置を平行移動するよう構成したが、前後方向に延在する回転軸回りに揺動する構成を採用し得る。
(3) 実施例では、第２表示装置を２基の駆動機構(移動機構)で移動するよう構成したが、１基の駆動機構(移動機構)で移動するようにしてもよい。例えば、第２表示装置を１つの連繋部材によって移動機構に連繋したものであってもよい。
(4) 実施例では、フラットケーブルを保持する連繋部材(第２連繋部材)の平坦部に保持部(第１保持部)を設けたが、平坦部を省略することができる。すなわち、保持部(第１保持部)の一端に表示取付部を設けると共に他端に移動体取付部を設ける構成を採用することができ、この構成によれば連繋部材における第１表示部の前側に重なる面積を小さくすることができる。
(5) 実施例では、フラットケーブルの重合部を別体に構成された一対の保持部で挟持して保持するよう構成したが、１つの保持部で重合部を保持するものであってもよい。例えば、板状の保持部に、厚み方向と交差する方向に切れ込みを形成し、該切れ込みに重合部を差し込んで保持する構成を採用し得る。
(6) 実施例では、第２支持部に配設した中継基板(基板)を、不透明な装飾部品や盤面飾り部材の裏側に位置させることで、該中継基板(基板)を前側から視認不能となるよう構成したが、遊技盤を構成する板状部材を本材板等の不透明な部材から形成し、該不透明な板状部材の裏側に中継基板が位置するようにしてもよい。すなわち、板状部材に設けられた不透明部分(板状部材自体も含む)の裏側に位置するように中継基板(基板)を配設し、該中継基板(基板)にフラットケーブルが接続されるようになっていればよい。
(7) 遊技機としては、パチンコ機に限られるものではなく、アレンジボール機やパチンコ球やコインを用いたスロットマシン等、その他各種の遊技機であってもよい。
【００７４】
(8) スロットマシンは、遊技者が所定の開始操作手段の操作を行うことを契機に、図柄が配列された複数の回動体が変動開始すると共に、変動ゲームの当否に関連した当否判定を行い、所定の停止操作手段の操作を契機に、当否判定に基づく図柄停止制御を実行し、停止した図柄の組み合わせによって遊技利益が付与されるよう構成された遊技機であって、このようなスロットマシンにおいて複数の表示装置を用いる場合に実施例の構成を採用することができる。
ここで、スロットマシンのより具体的な構成を説明すると、外周部に識別情報としての複数の図柄が表示された複数のリール(回転体)を有する表示装置において、複数のリールに表示されている図柄を有効ライン上に揃えることにより、所定数のパチンコ球やメダルを獲得する遊技が行われる。すなわちスロットマシンでは、スタートレバーの操作によってリールの回転が開始され、各リールに対応するストップボタンが操作されたタイミングに応じてリールの回転が停止され、全てのリールの回転(図柄の変動)が停止したときに導出された表示結果(有効ライン上に所定の図柄が揃うこと等)に従って、当該図柄変動に伴う演出の終了後に入賞が発生する。そして、スロットマシンでは入賞によって各種の特別遊技状態が付与されるようになっている。
このようなスロットマシンにおいて、リールを備えた表示装置の上部に第１表示装置を配設し、該第１表示装置の前方を第２表示装置が移動するようにした構成において、第２表示装置と基板とを接続するフラットケーブルの姿勢や保持構造として実施例の構造を採用するようにすればよい。
また、スロットマシンに採用される第１表示装置は、図柄を変動表示するものに限らず、報知演出や予告演出等の各種の表示演出を行うものであってもよい。
【符号の説明】
【００７５】
１７ 第１表示装置(表示装置)
１７ａ 第１表示部(表示部)
２１ 遊技領域
２７ 枠状装飾体
２７ａ 窓口(開口部)
５１ 第２表示装置
５１ａ 第２表示部
５４ 移動機構
６３ 第２連繋部材(連繋部材)
７９ 中継基板(基板)
８４ フラットケーブル
８４ａ 重合部
８４ｃ 可橈部
Ｍ 遊技盤
【図１】
2015198749.tif 000003
【図２】
2015198749.tif 000004
【図３】
2015198749.tif 000005
【図４】
2015198749.tif 000006
【図５】
2015198749.tif 000007
【図６】
2015198749.tif 000008
【図７】
2015198749.tif 000009
【図８】
2015198749.tif 000010
【図９】
2015198749.tif 000011
【図１０】
2015198749.tif 000012
【図１１】
2015198749.tif 000013